(57)【要約】【課題】接続導体と絶縁操作ロッドの接合部に作用する曲げモーメントを低減して、その接合部の機械的強度を低減でき、小形、低コスト化を図ることができる開閉装置を提供する。【解決手段】可動電極１２Ｌ，１２Ｒと固定電極１１Ｌ，１１Ｒから構成される２組の遮断部と、それらの遮断部の可動電極を一体に駆動する接続導体１７と、接続導体１７に駆動力を伝達するための絶縁操作ロッド１８を備えた開閉装置において、２組の遮断部Ｌ，Ｒの可動電極１２Ｌ，１２Ｒを一体に駆動する接続導体１７に駆動力を伝達するための絶縁操作ロッド１８を、一方の遮断部Ｌ側に偏らせて配置し、他方の遮断部Ｒには一方の遮断部Ｌに比べて電極間の溶着を低減する溶着低減手段を備えたことを特徴とする。【選択図】図１
2008123870.tif 000002
【特許請求の範囲】
【請求項１】
可動電極と固定電極から構成される２組の遮断部と、それらの遮断部の可動電極を一体に駆動する接続導体と、接続導体に駆動力を伝達するための絶縁操作ロッドを備えた開閉装置において、２組の遮断部の可動電極を一体に駆動する接続導体に駆動力を伝達するための絶縁操作ロッドを、一方の遮断部側に偏らせて配置し、他方の遮断部には一方の遮断部に比べて電極間の溶着を低減する手段を備えたことを特徴とする開閉装置。
【請求項２】
請求項１記載の開閉装置において、前記溶着低減手段は、前記他方の遮断部を、前記一方の遮断部に比べて溶着引き外し力の小さい接点材料を適用して構成したことを特徴とする開閉装置。
【請求項３】
請求項１記載の開閉装置において、前記溶着低減手段は、前記他方の遮断部に、投入操作時に、前記一方の遮断部よりも早く投入するための手段を備えたことを特徴とする開閉装置。
【請求項４】
請求項３記載の開閉装置において、前記他方の遮断部に備えられ、前記他方の遮断部を前記一方の遮断部よりも早く投入するための手段は、先端が固定電極の上面より突出して配置される固定側可動接触子と、前記固定側可動接触子を電気的接続を保ちながら軸方向に摺動可能ならしめる接触子体と、前記固定側可動接触子を可動電極側に付勢するためのばねとを備えたことを特徴とする開閉装置。
【請求項５】
請求項３記載の開閉装置において、他方の遮断部に備えられ、前記他方の遮断部を前記一方の遮断部よりも早く投入するための手段は、前記固定電極一体に設けた固定電極保持体と、前記固定電極保持体を電気的接続を保ちながら軸方向に摺動可能ならしめる接触子体と、前記固定電極保持体を前記可動電極側に付勢するためのばねとを備え、遮断状態における前記他方の遮断部の遮断部ギャップは、前記一方の遮断部の遮断部ギャップよりも狭くしたことを特徴とする開閉装置。
【発明の詳細な説明】
【技術分野】
【０００１】
本発明は、非接地真空容器内に２組の遮断部を具備し、それらの可動側電極を一体に駆動する開閉装置に関するものである。
【背景技術】
【０００２】
操作機構を簡素化し、小型化が可能な開閉装置として、２対の遮断部を同時に開極して電流を遮断する２点切り真空遮断器が提案されている。この２点切り真空遮断器は、金属製の真空容器内に、直列接続された２対の遮断部を平行に配置し、遮断部の固定電極を、絶縁筒を介して真空容器に支持し、２対の可動電極を、真空容器内で接続導体により接続し、接続導体を、真空容器内で絶縁物を介して操作棒に連結して、構成されている（例えば、特許文献１参照。）。
【０００３】
【特許文献１】特開２００５−１０８７６６号公報
【発明の開示】
【発明が解決しようとする課題】
【０００４】
前述した２点切り真空遮断器の開閉装置では、接続導体の中間部に接合した操作棒を、上下動させることにより、接続導体を介して２対の遮断部を、投入及び遮断させるが、一方の電極に電圧が印加されている状態で投入が行われると、２組の遮断部の固定電極と可動電極間に短絡電流が流れてそれぞれ固定電極と可動電極との溶着が発生する。この状態で、２組の遮断部を開極させる場合、固定電極と可動電極との溶着を引き外すことになるが、開極操作の初期状態では、２組の遮断部に作用する引き外し力は、ほぼ均等に作用するので、接続導体と絶縁操作ロッドとの接合部（ろう付け接合部）には、大きな曲げモーメントは、作用しない。
【０００５】
しかし、２組の遮断部における固定電極と可動電極とのそれぞれの溶着力は、必ずしも同じではない場合が多い。このため、さらに可動電極を固定電極に対して引き外す動作を継続した場合、溶着力が低い一方側の遮断部が引き外されると、一方の遮断部だけが溶着している状態になる。このとき、接続導体と絶縁操作ロッドの接合部には、接続導体の半分の腕の長さに、溶着している遮断部の溶着引き外し力を乗じた曲げモーメントが作用する。
【０００６】
よって、この曲げモーメントに耐える接合強度を確保するために、接合部を大形化する必要があり、コスト低減の妨げとなっていた。
【０００７】
本発明は、上述の事柄に基づいてなされたもので、接続導体と絶縁操作ロッドの接合部に作用する曲げモーメントを低減して、その接合部の機械的強度を低減でき、小形、低コスト化を図ることができる開閉装置を提供することを目的とする。
【課題を解決するための手段】
【０００８】
上記の目的を達成するために、第１の発明は、可動電極と固定電極から構成される２組の遮断部と、それらの遮断部の可動電極を一体に駆動する接続導体と、接続導体に駆動力を伝達するための絶縁操作ロッドを備えた開閉装置において、２組の遮断部の可動電極を一体に駆動する接続導体に駆動力を伝達するための絶縁操作ロッドを、一方の遮断部側に偏らせて配置し、他方の遮断部には一方の遮断部に比べて電極間の溶着を低減する手段を備えたことを特徴とする。
【０００９】
また、第２の発明は、第１の発明において、前記溶着低減手段は、前記他方の遮断部を、前記一方の遮断部に比べて溶着引き外し力の小さい接点材料を適用して構成したことを特徴とする。
【００１０】
更に、第３の発明は、第１の発明において、前記溶着低減手段は、前記他方の遮断部に、投入操作時に、前記一方の遮断部よりも早く投入するための手段を備えたことを特徴とする。
【００１１】
また、第４の発明は、第３の発明において、前記他方の遮断部に備えられ、前記他方の遮断部を前記一方の遮断部よりも早く投入するための手段は、先端が固定電極の上面より突出して配置される固定側可動接触子と、前記固定側可動接触子を電気的接続を保ちながら軸方向に摺動可能ならしめる接触子体と、前記固定側可動接触子を可動電極側に付勢するためのばねとを備えたことを特徴とする。
【００１２】
更に、第５の発明は、第３の発明において、他方の遮断部に備えられ、前記他方の遮断部を前記一方の遮断部よりも早く投入するための手段は、前記固定電極一体に設けた固定電極保持体と、前記固定電極保持体を電気的接続を保ちながら軸方向に摺動可能ならしめる接触子体と、前記固定電極保持体を前記可動電極側に付勢するためのばねとを備え、遮断状態における前記他方の遮断部の遮断部ギャップは、前記一方の遮断部の遮断部ギャップよりも狭くしたことを特徴とする。
【発明の効果】
【００１３】
本発明の開閉器は、２つの遮断部の可動側を一体に駆動する接続導体に駆動力を伝達するための絶縁操作ロッドを、一方の遮断部軸側に偏らせて配置し、かつ他方の遮断部の溶着力を低減する手段を合わせて講じたことによって、溶着引き外し時に、接続導体と絶縁操作ロッドの接合部に作用する曲げモーメントを低減できる結果、接合部の機械的強度を低減でき、開閉装置を小形低コスト化できるという利点がある。
【発明を実施するための最良の形態】
【００１４】
以下、本発明の開閉装置の実施の形態を図面を用いて説明する。  
図１は、本発明の開閉装置の一実施の形態を示す縦断面図で、この図１において、開閉装置は、真空２点切り開閉器１、及び接地開閉器２を備えている。開閉器１及び接地開閉器２は、図１に示すようにエポキシ樹脂等の固体絶縁物３によって一体的にモールドされている。これにより、開閉器部がユニット化され小形軽量化が図られている。このユニット化された開閉器部は、相分離構造であり、更にその相間に遮蔽層を配置して、相間の短絡事故の発生が抑えられている。前述したモールドの外表面は、塗布された導電塗料等の接地層４によって接地され、接触の安全性を確保されている。
【００１５】
上述したユニット化された真空２点切り開閉器１は、絶縁筒を備える真空容器１０と、真空容器１０内にそれぞれ収納された２つの固定電極１１Ｌ，１１Ｒと、それらの可動電極１２Ｌ，１２Ｒとの２つの遮断部Ｌ，Ｒを備えており、２点切りを構成している。
【００１６】
図１の左側における遮断部の固定電極１１Ｌは、固定電極保持体１３Ｌを介して母線側の端子となるフィーダ１４に接続している。また、図１の右側における遮断部Ｒの固定電極１１Ｒは、固定電極保持体１３Ｒを介して負荷側の端子となるフィーダ１５に接続している。
【００１７】
可動電極１２Ｌ，１２Ｒは、それぞれ可動電極保持体１６Ｌ，１６Ｒを介して金属で補強された接続導体１７で連結されている。この接続導体１７には、真空絶縁操作ロッド１８が接続されるが、この真空絶縁操作ロッド１８は、接続導体１７の中心位置から、母線側に接続される遮断部の可動電極１２Ｌ側に偏って配置している。真空絶縁操作ロッド１８は、操作ロッド１８０を介して操作器１８１に連結している。操作ロッド１８０の周囲は、ベローズ１９によって封止されている。各遮断部には、アークシールド１９０が設けられている。
【００１８】
一方の遮断部Ｌの固定電極１１Ｌと可動電極１２Ｌに対する他方の遮断部Ｒの固定電極１１Ｒと可動電極１２Ｒには、溶着低減手段が構成されている。この溶着低減手段は、一方の遮断部の固定電極１１Ｌと可動電極１２Ｌには、例えばＣｒ−Ｃｕ合金などの電流遮断性能が優れるが、溶着力が比較的大きな接点材料を、また、他方の遮断部Ｒの固定電極１１Ｒと可動電極１２Ｒには、例えばＣｒ−Ｃｕ−Ｔｅ合金などの電流遮断性能が比較的低いものの溶着力が小さい接点材料を適用して構成している。即ち、真空絶縁操作ロッド１８と可動電極との間の接続導体１７の長さが小さい方の固定電極１１Ｌと可動電極１２Ｌには、溶着力が比較的大きな接点材料を適用し、また、真空絶縁操作ロッド１８と可動電極との間の接続導体１７の長さが大きい方の固定電極１１Ｒと可動電極１２Ｒには、固定電極１１Ｌと可動電極１２Ｌの接点材料に比べて、溶着力が比較的小さな接点材料を適用して構成している。
【００１９】
次に、接地開閉器２は、絶縁筒を備える真空容器２０と、真空容器２０内に固定され、フィーダ１５に接続した固定接点２１と、その可動接点２２とを備えている。この可動接点２２は、金属ベローズ２４を介して、真空容器２０外に導出され、図示しない接地開閉器用の絶縁操作ロッドに連結されている。
【００２０】
次に、上述した本発明の開閉装置の一実施の形態の動作を図１を用いて説明する。  
遮断部の一方の電極に電圧が印加されている状態で遮断部が投入されると、短絡電流が流れるので、２つの遮断部Ｌ，Ｒの電極にそれぞれ溶着が発生する。この場合、紙面右方の遮断部Ｒには溶着力の小さい接点材料を適用しているため、紙面左方の遮断部Ｌに比べて溶着力が小さい。
【００２１】
この状態で可動側電極１２Ｌ，１２Ｒを、それぞれ固定電極１１Ｌ，１１Ｒに対して引き外すと、まず溶着力の小さい紙面右方の遮断部Ｒにおける可動側電極１２Ｒが固定電極１１Ｒから引き外される。その後、接続導体１７と絶縁操作ロッド１８の接合部には、溶着力の比較的大きい左方の遮断部Ｌにおける可動側電極１２Ｌと固定電極１１Ｌとの溶着力に、絶縁操作ロッド１８から紙面左方の遮断部Ｌまでの腕の長さを乗じた曲げモーメントが作用するが、絶縁操作ロッド１８から紙面左方の遮断部Ｌまでの腕の長さが、接続導体１７の１／２の長さよりも短いため、接続導体１７と絶縁操作ロッド１８の接合部に印加される曲げモーメントは低減される。この低減された曲げモーメントに基づいて、左方の遮断部Ｌにおける可動側電極１２Ｌを固定電極１１Ｌから引き外すことができる、
よって、接続導体１７と絶縁操作ロッド１８の接合部に作用する曲げモーメントを低減することができるので、その部分の機械的強度を小さくすることができる。その結果、開閉装置を小形、低コスト化を図ることができる。
【００２２】
次に、本発明の開閉装置の他の実施の形態を、図２及び図３を用いて説明する。  
図２は、本発明の開閉装置の他の実施の形態の縦断面図、図３は図２に示す本発明の開閉装置の他の実施の形態を構成する溶着低減手段を拡大して示す断面図である。これらの図において、図１の符号と同符号のものは同一部分または相当する部分であるので、その詳細な説明を省略する。
【００２３】
この実施の形態は、固定電極１１Ｒ側、即ち図２の右方の遮断部Ｒ側に、投入操作時に図２の左方の遮断部Ｌよりも早く可動電極１２Ｒが固定電極１１Ｒに早く投入されて溶着を低減する手段３０を備えたものである。
【００２４】
この溶着低減手段３０の詳細な構成を、図３を用いて説明する。  
この図３において、図１と同符号のものは同一部分または相当する部分である。固定電極１１Ｒの中心部には、貫通孔３１が開けられている。この固定電極１１Ｒは、筒状の固定電極保持体３２によって真空容器１０内に保持されている。筒状の固定電極保持体３２の下側には、ストッパ３３が設けられている。筒状の固定電極保持体３２の反固定電極側とフィーダ１５との間には、筒状の接触子台３４が設けられている。この筒状の接触子体３４の一端側（図３の上側）は、固定電極保持体３２の反固定電極側に導通状態に連結され、筒状の接触子台３４の他端側（図３の下側）は、端版３５を介してフィーダ１５に導通状態に連結されている。
【００２５】
筒状の接触子台３４の内面には、接触子３６が取り付けられている。筒状の接触子台３４内には、接触子３６と電気的接続を保ちながら軸方向に摺動可能な可動体３７が設けられている。可動体３７の上面には、先端が固定電極１１Ｒの貫通孔３１を通して可動電極１２Ｒ側に突出する固定側可動接触子３８が設けられている。可動接触子３８の下面と端板３５との間には、固定側可動接触子３８を可動電極１２Ｒ側に付勢するためのばね３９が設けられている。可動体３７は、遮断状態ではストッパ３３に当接し、固定側可動接触子３８の固定電極１１Ｒ上面からの突出量が設定されている。固定側可動接触子３８と筒状の接触子台３４との間には、封止用のベローズ３００が設けられている。なお、固定電極１１Ｌと可動電極１２Ｌとの遮断部ギャップと、固定電極１１Ｒと可動電極１２Ｒとの遮断部ギャップは、ともに等しく設定されている。
【００２６】
次に、上述した本発明の開閉装置の他の実施の形態の動作を図２及び図３を用いて説明する。  
図３において、可動電極１２Ｒが図３の紙面下方向に移動することによって、短絡電流が発生する過程において、可動電極１２Ｒは、まず固定側可動接触子３８と接触する。このとき、図２における紙面左方の遮断部Ｌの可動電極１２Ｌは、固定電極１１Ｌにまだ接触していない。この状態において、可動電極１２Ｌ，１２Ｒが、更に下方に移動すると、図３に示す可動電極１２Ｒは、固定電極１１Ｒと接触状態を保ちながら、ばね３９に抗して紙面下方向に移動する。このとき、固定側可動接触子３８は、接触子３６を介して接触子台３４と電気的接続を保ちながら紙面下方向に移動する。
【００２７】
更に、可動電極１２Ｌ，１２Ｒが、更に下方に移動すると、図２における紙面左方の遮断部Ｌの可動電極１２Ｌが、固定電極１１Ｌに接触し、短絡電流が流れる。この際、図２における紙面右方の遮断部Ｒは、既に、可動電極１２Ｒ、固定側可動接触子３８、可動体３７、接触子３６、接触子台３４、端板３５、負荷側のフィーダ１５の経路で電気的に接続された状態になっているため、投入先行放電は、図２における紙面左方の遮断部Ｌの可動電極１２Ｌと固定電極１１Ｌの間でのみ発生する。よって、図２における紙面左方の遮断部Ｌの可動電極１２Ｌと固定電極１１Ｌとに溶着が発生する。
【００２８】
この状態で、可動電極１２Ｌ，１２Ｒをそれぞれ固定電極１１Ｌ，１１Ｒに対して引き外すと、接続導体１７と絶縁操作ロッド１８の接合部には、左方の遮断部Ｌにおける溶着力に、絶縁操作ロッド１８から左方の遮断部までの腕の長さを乗じた曲げモーメントが、作用するが、絶縁操作ロッド１８が左方の遮断部Ｌ側に偏って配置され、その腕の長さが短いので、曲げモーメントは低減される。この低減された曲げモーメントに基づいて、左方の遮断部Ｌにおける可動側電極１２Ｌが固定電極１１Ｌから引き外されると同時に、溶着の発生していない紙面右方の遮断部Ｒも引き外されて遮断が完了する。
【００２９】
この実施の形態によれば、接続導体１７と絶縁操作ロッド１８の接合部に作用する曲げモーメントを低減することができるので、その部分の機械的強度を小さくすることができる。その結果、開閉装置を小形、低コスト化を図ることができる。
【００３０】
また、この実施の形態によれば、右方の遮断部Ｒにおける可動電極１２Ｒ、固定電極１１Ｒに、例えばＣｒ−Ｃｕ合金などの電流遮断性能が優れるが、溶着力が比較的大きな接点材料を使用することができるので、耐電圧が良くなり、その耐電圧特性を向上させることができる。
【００３１】
次に、本発明の開閉装置の更に他の実施の形態を、図４及び図５を用いて説明する。  
図４は、本発明の開閉装置の更に他の実施の形態の縦断面図、図５は図４に示す本発明の開閉装置の更に他の実施の形態を構成する溶着低減手段を拡大して示す断面図である。これらの図において、図１乃至図３の符号と同符号のものは同一部分または相当する部分であるので、その詳細な説明を省略する。
【００３２】
この実施の形態は、固定電極１１Ｒ側、即ち図２の右方の遮断部Ｒ側に、投入操作時に図４の左方の遮断部Ｌよりも右側の可動電極１２Ｒが固定電極１１Ｒと早く接触することによって溶着を低減する手段４０を備えたものである。
【００３３】
この溶着低減手段４０の詳細な構成を、図５を用いて説明する。  
この図５において、図１乃至図３の符号と同符号のものは同一部分または相当する部分である。固定電極１１Ｒは、固定電極保持体４１の先端に固定されている。この固定電極保持体４１は、真空容器１０内に導入した案内体４２によって、上下動可能に支持されている。案内体４２は、端板４３に固定されている。案内体４２の下側とフィーダ１５との間には、筒状の接触子台４４が設けられている。この筒状の接触子台４４の一端側（図５の上側）は、案内体４２の下側に連結され、筒状の接触子台４４の他端側（図５の下側）は、端板４５を介してフィーダ１５に導通状態に連結されている。端板４５の上面には突部４６が設けられている。
【００３４】
筒状の接触子台４４の内面には、固定接触子４７が取り付けられている。筒状の接触子台４４内には、接触子４７と電気的接続を保ちながら軸方向に摺動可能な可動接触子４８が設けられている。この可動接触子４８の上面には、固定電極保持体４１の下端が連結されている。可動接触子４８の下面には、端板４５上の突部４６に対向する突部４９が設けられている。可動接触子４８の下面と端板４５との間には、固定電極１１Ｒを可動電極１２Ｒ側に付勢するためのばね５０が設けられている。可動接触子４８は、遮断状態ではストッパ機能を兼ねる案内体４２に当接し、遮断状態での固定電極１１Ｒと可動電極１２Ｒとのギャップが、図４に示すように紙面左方の遮断部Ｌ、即ち固定電極１１Ｌと可動電極１２Ｌとのギャップよりも狭く設定されている。端板４３と固定電極保持体４１との間には、封止用のベローズ５１が設けられている。
【００３５】
次に、上述した本発明の開閉装置の更に他の実施の形態の動作を図４及び図５を用いて説明する。  
図４において、可動電極１２Ｌ，１２Ｒが紙面下方向に移動することによって、短絡電流が発生するとき、紙面右方の遮断部Ｒ、即ち固定電極１１Ｒと可動電極１２Ｒとのギャップは、紙面左方の遮断部Ｌの固定電極１１Ｌと可動電極１２Ｌとのギャップよりも狭く設定されているので、まず、可動電極１２Ｒが、固定電極１１Ｒに接触する。このとき、図４における紙面左方の遮断部Ｌの可動電極１２Ｌは固定電極１１Ｌにまだ接触していない。
【００３６】
この状態において、可動電極１２Ｌ，１２Ｒが、更に下方に移動すると、図５に示す可動電極１２Ｒは、固定電極１１Ｒと接触状態を保ちながら、ばね５０に抗して紙面下方向に移動する。このとき、可動接触子４８は、固定接触子４７を介して接触子台４４と電気的接続を保ちながら紙面下方向に移動する。
【００３７】
更に、可動電極１２Ｌ，１２Ｒが、更に下方に移動すると、図５に示す可動接触子４８の下面の突出部４９が、端板４５の突出４６部と接触すると同時に、図４における紙面左方の遮断部Ｌの可動電極１２Ｌが、固定電極１１Ｌに接触し、短絡電流が投入される。この際、図４における紙面右方の遮断部Ｒは、既に、可動電極１２Ｒ、固定電極１１Ｒ、固定電極保持体４１、可動接触子４８、接触子４７、接触子台４４、端板４５、負荷側の端子となるフィーダ１５の経路で電気的に接続された状態になっているため、投入先行放電は、図４における紙面左方の遮断部Ｌの可動電極１２Ｒと固定電極１１Ｒの間でのみ発生する。これにより、図４における紙面左方の遮断部Ｌにおける可動電極１２Ｒと固定電極１１Ｒとの間にのみ、溶着が発生する。
【００３８】
この状態で、可動電極１２Ｌ，１２Ｒをそれぞれ固定電極１１Ｌ，１１Ｒに対して引き外すと、接続導体１７と絶縁操作ロッド１８の接合部には、左方の遮断部Ｌにおける溶着力に、絶縁操作ロッド１８から左方の遮断部Ｌまでの腕の長さを乗じた曲げモーメントが、作用するが、絶縁操作ロッド１８が左方の遮断部Ｌ側に偏って配置され、その腕の長さが短いので、曲げモーメントは低減される。この低減された曲げモーメントに基づいて、溶着の発生している左方の遮断部Ｌにおける可動側電極１２Ｌが、固定電極１１Ｌから引き外される。
【００３９】
紙面左方の遮断部Ｌにおける可動電極１２Ｌが、固定電極１１Ｌから引き外されると同時に、溶着の発生していない紙面右方の遮断部Ｒの固定電極１１Ｒと可動電極１２Ｒは、接触状態を維持しながら、紙面上方に移動し、図５に示すように可動接触子４８の上面が、案内体４２に当接する位置に達すると、可動側電極１２Ｒのみが紙面上方に引き上げられて遮断が完了する。
【００４０】
この実施の形態によれば、接続導体１７と絶縁操作ロッド１８の接合部に作用する曲げモーメントを低減することができるので、その部分の機械的強度を小さくすることができる。その結果、開閉装置を小形、低コスト化を図ることができる。
【００４１】
また、この実施の形態によれば、電極１１Ｒ，１２Ｒに、例えばＣｒ−Ｃｕ合金などの電流遮断性能が優れるが、溶着力が比較的大きな接点材料を使用することができるので、耐電圧が良くなり、その耐電圧特性を向上させることができる。
【００４２】
なお、上述した実施の形態においては、開閉器１として２点切り１位置形式のものについて説明したが、本発明は、操作ロッド１８０によって、通電するための固定電極１１Ｌ，１１Ｒの閉位置Ｙ１、電流を遮断するための閉位置Ｙ１より上方の開位置Ｙ２、および雷などのサージ電圧に対して点検作業者の安全を確保するための開位置Ｙ２よりさらに上方の断路位置Ｙ３の３位置に停止する３位置形式の２点切り開閉器にも適用することができる。
【００４３】
また、上述した実施の形態においては、接地開閉器２を備えた開閉器について説明したが、本発明は、接地開閉器２を備えていない開閉器にも適用することができる。
【図面の簡単な説明】
【００４４】
【図１】本発明の開閉装置の一実施の形態を示す縦断面図である。
【図２】本発明の開閉装置の他の実施の形態を示す縦断面図である。
【図３】図２に示す本発明の開閉装置の他の実施の形態を構成する溶着低減手段を拡大して示す断面図である。
【図４】本発明の開閉装置の更に他の実施の形態を示す縦断面図である。
【図５】図４に示す本発明の開閉装置の更に他の実施の形態を構成する溶着低減手段を拡大して示す断面図である。
【符号の説明】
【００４５】
１          真空２点切り開閉器
２          接地開閉器
１０        真空容器
１１Ｌ      固定電極
１１Ｒ        固定電極
１２Ｌ        可動電極
１２Ｒ        可動電極
１７          接続導体
１８          真空絶縁操作ロッド
Ｌ            遮断部
Ｒ            遮断部
３０          溶着低減手段
４０          溶着低減手段
【図１】
2008123870.tif 000003
【図２】
2008123870.tif 000004
【図３】
2008123870.tif 000005
【図４】
2008123870.tif 000006
【図５】
2008123870.tif 000007